(57)【特許請求の範囲】
【請求項１】
コネクタの開口部を覆うコネクタカバーにおいて、前記開口部内に挿入される挿入部と、この挿入部の前記コネクタから外方に突出した部分に固定され前記コネクタの開口部を覆う被覆部と、を有し、前記挿入部は、コネクタ離脱時に前記被覆部を持ち上げる側の挿入先端側の部分が面取りされていることを特徴とするコネクタカバー。
【請求項２】
コネクタの複数個の開口部を覆うコネクタカバーにおいて、前記開口部内に挿入される複数個の挿入部と、これらの挿入部の前記コネクタから外方に突出した部分に固定され前記コネクタの開口部を覆う被覆部と、を有し、コネクタ離脱時に前記被覆部を持ち上げる側の挿入部の先端側の部分が面取りされていることを特徴とするコネクタカバー。
【請求項３】
前記被覆部には、前記複数個の挿入部のうち前記被覆部を持ち上げる側の挿入部と他の挿入部との間に、屈曲するための折れ線が形成されていることを特徴とする請求項２に記載のコネクタカバー。
【請求項４】
前記被覆部と前記挿入部とは、接合されていることを特徴とする請求項１乃至３のいずれか１項に記載のコネクタカバー。
【請求項５】
前記挿入部が面取りされている形状は、直線状又は円弧状であることを特徴とする請求項１乃至４のいずれか１項に記載のコネクタカバー。
【請求項６】
カードエッジタイプのコネクタに適用されることを特徴とする請求項１乃至５のいずれか１項に記載のコネクタカバー。
【発明の詳細な説明】
【０００１】
【発明の属する技術分野】
本発明は、例えばコンピュータ装置の増設用スロット等のカードエッジタイプのコネクタ等に使用されるコネクタカバーに関する。
【０００２】
【従来の技術】
近時、コンピュータ装置が種々の場所で使用されるようになってきたため、設置環境が悪い場所に設置されることも多くなってきている。この場合、例えばコンピュータ装置の増設用の空きスロット等にゴミがつまり、接触不良を起こす虞があった。そこで、未使用の空きスロット等のコネクタには、その開口部を塞ぐために、コネクタカバーが使用されている。
【０００３】
ところで、例えばコンピュータ装置の増設用の空きスロット等に使用されるカードエッジコネクタには、接続端子が設けられた部分の形状がカード状である装置、例えばメモリカード等の各種のカード類が装着される凹溝が形成され開口部となっているが、このようなカードエッジコネクタの開口部を塞ぐコネクタカバーとして、本願出願人は特許３００３６９１号においてコネクタカバーを提案した。図７は、このコネクタカバーの構成を示す斜視図である。
【０００４】
このコネクタカバー１０１は、例えばプラスチック等の絶縁体からなり、被覆部１０２と取手部１０３と挿入部１０４とによって構成されている。被覆部１０２は長方形板状に形成されており、被覆部１０２の上面には、長手方向に所定の間隔をおいて複数個の取手部１０３が配置されている。被覆部１０２の下面には下側に向かって突出した長方形板状の挿入部１０４が形成されており、取手部１０３と対向するように被覆部１０２の長手方向に所定の間隔をおいて複数個の挿入部１０４が配置されている。挿入部１０４は例えばカードエッジコネクタ１０５の凹溝状に形成された接続部１０６の内壁の幅と等しい幅を有するように形成されている。被覆部１０２の上面で隣り合う取手部１０３の間には、カード本体１０２の長手方向と直交する方向に伸びるノッチ１０７が設けられており、ノッチ１０７は適宜の数、例えば３本のノッチ１０７が互いにカード本体１０２の長手方向に離間して設けられている。ノッチ１０７は被覆部１０２の上面に形成された例えばＶ字型の溝とされ、被覆部１０２の上面から下面に向かって適宜の深さを有している。
【０００５】
上述の構成を備えたコネクタカバー１０１を例えばカードエッジコネクタ１０５に取り付けるには、被覆部１０２の下面に形成された挿入部１０４を、カードエッジコネクタ１０５の接続部１０６に、被覆部１０２の下面と、カードエッジコネクタ１０５の上面が接触するまで差し込む。これにより、被覆部１０２により、カードエッジコネクタ１０５の接続部は覆われる。そして、コネクタカバー１０１の挿入部１０４はカードエッジコネクタ１０５の接続部１０６の内壁と当接し、内壁との間の摩擦力によって保持される。また、このコネクタカバー１０５を取り外すには、作業者は被覆部１０２上に設けた取手部１０３を持ち、引き上げることにより、コネクタカバー１０１はカードエッジコネクタ１０５より外れる。なお、ノッチ１０７は、コネクタカバー１０１の部品共通化を図るために被覆部１０２に設けられたもので、コネクタカバー１０１は、先ず、長手方向に繋がった１本の紐状になっており、カードエッジコネクタ１０５の上面の長さに応じてこのノッチ１０７を折って切り離し使用するものである。
【０００６】
【発明が解決しようとする課題】
ところで、上述の構成のコネクタカバー１０１において、コネクタカバー１０１の生産性を向上させるために、取手部１０３を被覆部１０２と一体化した構造のコネクタカバーが考えられる。図８は、このコネクタカバー２０１の構造を示したものである。このコネクタカバー２０１の被覆部２０２は長方形板状に形成されており、被覆部２０２の下面には、図５に示したコネクタカバー１０１と同様に、下側に向かって突出した長方形板状の挿入部２０４が形成されている。そして、被覆部２０２は、コネクタカバー２０１をカードエッジコネクタ１０５に取り付けた際に、その端部がカードエッジコネクタ１０５の側面から突出するように、その一方の端部が長手方向に延出している。この突出した部分が持上部２０３となっている。また、カードエッジコネクタ１０５に取り付けた際に、コネクタカバー２０１及びカードエッジコネクタ１０５が長手方向に相対的に移動してずれないように、被覆部２０２の長手方向と垂直な挿入部２０４の端面と、カードエッジコネクタ１０５の内壁が接触するようになっている。更に、挿入部２０４の間の被覆部２０２の上面には、被覆部２０２の長手方向と直交する方向に伸びるノッチ２０７が設けられており、ノッチ２０７は例えばＶ字型の溝の形状となっている。
【０００７】
上述のような構成のコネクタカバー２０１をカードエッジコネクタ１０５から取り外すには、作業者は、コネクタカバー２０１の被覆部２０２の突出した端部である持上部２０３を持ち、上方に引き上げることにより行う。
【０００８】
図９（ａ）乃至（ｃ）は、このようなコネクタカバー２０１をカードエッジコネクタ１０５より取り外す際の状態をその工程順に示す斜視図であり、（ａ）は、カードエッジコネクタ１０５にコネクタカバー２０１が取り付けている状態を示している。そして、図９（ｂ）に示すように、コネクタカバー２０１をカードエッジコネクタ１０５から取り外すために、持上部２０３を上方に引き上げると、ノッチ２０７を中心に被覆部２０２の持上部２０３先端が、円弧状に動いて、上方に移動しようとする。しかし、持上部２０３に近くの挿入部２０４の長手方向と垂直な面の下側端部と、カードエッジコネクタ１０５の内壁とが干渉する。このため、更に被覆部２０２の持上部２０３を引き上げると、図９（ｃ）に示すように、被覆部２０２に取り付けた挿入部２０４が根元から裂けてしまうといった問題があった。
【０００９】
本発明はかかる問題点に鑑みてなされたものであり、コネクタに対する位置決め機能を損なうことなく、コネクタからの取り外し時に、挿入部が被覆部から裂けることのないコネクタカバーを提供することを目的とする。
【００１０】
【課題を解決するための手段】
本発明に係るコネクタカバーは、コネクタの開口部を覆うコネクタカバーにおいて、前記開口部内に挿入される挿入部と、この挿入部の前記コネクタから外方に突出した部分に固定され前記コネクタの開口部を覆う被覆部と、を有し、前記挿入部は、コネクタ離脱時に前記被覆部を持ち上げる側の挿入先端側の部分が面取りされていることを特徴とする。
【００１１】
本発明に係る他のコネクタカバーは、コネクタの複数個の開口部を覆うコネクタカバーにおいて、前記開口部内に挿入される複数個の挿入部と、これらの挿入部の前記コネクタから外方に突出した部分に固定され前記コネクタの開口部を覆う被覆部と、を有し、コネクタ離脱時に前記被覆部を持ち上げる側の挿入部の先端側の部分が面取りされていることを特徴とする。
【００１２】
また、このコネクタカバーにおいて、例えば、前記被覆部には、前記複数個の挿入部のうち前記被覆部を持ち上げる側の挿入部と他の挿入部との間に、屈曲するための折れ線が形成されていてもよい。
【００１３】
更に、このコネクタカバーにおいて、例えば、前記被覆部と前記挿入部とは、接合されていてもよい。
【００１４】
更にまた、このコネクタカバーにおいて、例えば、前記挿入部が面取りされている形状は、直線状又は円弧状であることができる。
【００１５】
更にまた、このコネクタカバーは、例えば、カードエッジタイプのコネクタに適用されることができる。
【００１６】
【発明の実施の形態】
以下、本発明の実施例について添付の図面を参照して説明する。図１は、本発明の第１実施例に係るコネクタカバーの構造を示す斜視図である。本実施例においては、図１に示すように、コネクタカバー１は、例えばプラスチック等の絶縁体からなり、被覆部２と挿入部４とによって構成されている。被覆部２は長方形板状に形成されており、被覆部２の下面には下側に向かって突出した長方形板状の挿入部４が形成されている。挿入部４は例えばカードエッジコネクタ５の凹溝状に形成された接続部６の内壁の幅と等しい幅を有するように形成されている。そして、被覆部２は、その一方の端部が長手方向に延出しており、コネクタカバー１をカードエッジコネクタ５に挿入した際に、その端部がカードエッジコネクタ５の上面より側方に突出するようになっている。この突出した部分が持上部３となっている。また、カードエッジコネクタ５に取り付けた際に、コネクタカバー１及びカードエッジコネクタ５が長手方向に相対的に移動してずれないように、被覆部２の長手方向と垂直な挿入部４の面と、カードエッジコネクタ５の内壁の端部が接触するようになっている。更に、この挿入部４の持上部３側の端部の先端部、即ち、隅部においては、面取り部８が形成されている。例えば、被覆部２の下面に平行且つ被覆部２の長手方向に直交する方向から見て、挿入部４の角部を２等辺間の頂点とする２等辺三角形状に、挿入部４が切り取られて、面取り部８が形成されている。
【００１７】
上述のように構成されたコネクタカバー１を、カードエッジコネクタ５から取り外す際の動作について説明する。コネクタカバー１をカードエッジコネクタ５から取り外す際に、作業者は、コネクタカバー１の被覆部２の突出部である持上部３を持ち、これを上方に引き上げる。そうすると、コネクタカバー１の被覆部２は、持上部３の反対側の端部を支点として回転し、上方に移動しようとする。挿入部４の持上部３側の側縁は、その被覆部２側の部分は面取りされておらず、カードエッジコネクタ５の内壁と接触していて、コネクタカバー１の位置決めをしているが、先端側の部分は面取りが施されて面取部８が形成されているため、持上部３を持ち上げて、コネクタカバー１を持ち上げても、挿入部４の持上部３側の端部がカードエッジコネクタ５の内壁に干渉されて、コネクタカバー１の離脱が阻害されることはない。また、コネクタカバー１をカードエッジコネクタ５から無理矢理取り外そうとして、被覆部２に固定されている挿入部４がその根元から裂けてしまうようなことはない。
【００１８】
次に、本発明の第２の実施例について説明する。図２は、本発明の第２実施例に係るコネクタカバーの構造を示す斜視図である。なお、図２に示す構成要素のうち、図１に示す構成要素と同一の構成要素には同一の符号を付し、その詳細な説明を省略する。本実施例においては、図２に示すように、コネクタカバー１１の被覆部１２の下面には下側に向かって突出した長方形板状の複数個の挿入部１４、１５が形成されている。更に、各挿入部１４、１５の下面の前記取手部側の端部を一つの角とする三角形状に前記挿入部を切り取った面取り部１８を有している。
【００１９】
上述のような構成のコネクタカバー１１をカードエッジコネクタ５から取り外す為に、持上部１３を持ち、上方に引き上げると、コネクタカバー１１の被覆部１２は、その長手方向における持上部１３の反対側の端部を中心に円運動を描いて、上方に移動しようとする。被覆部１２の長手方向と垂直な各挿入部１４、１５の持上部１３側の端面は、夫々カードエッジコネクタ５の内壁と接触しているが、各挿入部１４、１５の下面の前記持上部１３側の端部には、面取りが施されているため、円弧状に上方に移動しても、各挿入部１４、１５の下面の前記持上部１３側の端部はカードエッジコネクタ５の内壁に干渉することはない。これにより、コネクタカバー１１をカードエッジコネクタ５から取り外すために、持上部１３を上方に引き上げても、被覆部１２に取り付けた挿入部１４、１５の根元から裂けてしまうことはない。
【００２０】
次に、本発明の第３の実施例について説明する。図３は、本発明の第３実施例に係るコネクタカバーの構造を示す斜視図である。なお、図３に示す構成要素のうち、図２に示す構成要素と同一の構成要素には同一の符号を付し、その詳細な説明を省略する。本実施例においては、図３に示すように、被覆部２２の下面には下側に向かって突出した長方形板状の複数個の挿入部１４、１６が形成されている。また、各挿入部１４、１６の間の被覆部２２の上面に、被覆部２２の長手方向と直交する方向に伸びるノッチ２７が設けられている。ノッチ２７は被覆部２２の上面に形成された例えばＶ字型の溝とされ、上面から下面に向かって適宜の深さを有している。更に、持上部１３に最も近い挿入部１４には、その下面の前記取手部側の端部を一つの頂点とする三角形状に前記挿入部１４を切り取った面取り部１８を有している。
【００２１】
上述のような構成のコネクタカバー２１をカードエッジコネクタ５から取り外す為に、持上部１３を持ち、上方に引き上げると、ノッチを境に持上部１３側の被覆部２２が、ノッチ２７を中心に円弧状に上方に移動しようとする。被覆部１２の長手方向と垂直な挿入部１４の面は、カードエッジコネクタ５の内壁と接触しているが、挿入部１４の下面の前記持上部１３側の端部に、面取り部１８を有しているため、挿入部１４の下面の前記持上部１３側の端部はカードエッジコネクタ５の内壁に干渉することはない。これにより、コネクタカバー２１をカードエッジコネクタ５から取り外すために、持上部１３を上方に引き上げても、被覆部２２に取り付けた挿入部１４の根元から裂けてしまうことはない。
【００２２】
次に、本発明の第４の実施例について説明する。図４は、本発明の第４実施例に係るコネクタカバーの構造を示す斜視図である。なお、図４に示す構成要素のうち、図２に示す構成要素と同一の構成要素には同一の符号を付し、その詳細な説明を省略する。本実施例においては、図４に示すように、第３実施例と同様に、被覆部２２の下面には下側に向かって突出した長方形板状の複数個の挿入部１４、１６が形成されている。但し、挿入部１６は３個の突起部１６ａ、１６ｂ及び１６ｃを有し、カードエッジコネクタ５の同一の接続部６に差し込まれる。他は第３実施例と同様に、各挿入部１４、１６の間の被覆部２２の上面に、被覆部２２の長手方向と直交する方向に伸びるノッチ２７が設けられている。ノッチ２７は被覆部２２の上面に形成された例えばＶ字型の溝とされ、上面から下面に向かって適宜の深さを有している。更に、持上部１３に最も近い挿入部１４には、その下面の前記取手部側の端部を一つの頂点とする三角形状に前記挿入部１４を切り取った面取り部１８を有している。
【００２３】
上述のような構成のコネクタカバー３１をカードエッジコネクタ５から取り外す為に、持上部１３を持ち、上方に引き上げると、ノッチを境に持上部１３側の被覆部２２が、ノッチ２７を中心に円弧状に上方に移動しようとする。被覆部１２の長手方向と垂直な挿入部１４の面は、カードエッジコネクタ５の内壁と接触しているが、挿入部１４の下面の前記持上部１３側の端部に、面取り部１８を有しているため、挿入部１４の下面の前記持上部１３側の端部はカードエッジコネクタ５の内壁に干渉することはない。これにより、コネクタカバー３１をカードエッジコネクタ５から取り外すために、持上部１３を上方に引き上げても、被覆部２２に取り付けた挿入部１４の根元から裂けてしまうことはない。
【００２４】
上述の第１乃至第４のいずれの実施例においても、面取り部は挿入部の下面端部を一つの頂点とする三角形状に前記挿入部を切り取ったものとしたが、これに限定するものではなく、例えば、図５に示すように、面取り部１９は挿入部４の下面端部を円弧状に切り取ったものでもよい。また、例えば、図６に示すように、面取り部２０は挿入部４の下面端部を一つの頂点とする四角形状に切り取ったものでもよい。
【００２５】
また、上述の実施例において、コネクタカバーが挿入されるコネクタをカードエッジコネクタとして説明したが、これに限定されるものではなく、コネクタカバーが挿入可能なコネクタ全てに本発明のコネクタカバーは採用できる。
【００２６】
【発明の効果】
以上、詳述したように、本発明のコネクタカバーは、コネクタより取り外す際に、その端部を持ち上げても、コネクタ内に挿入される挿入部がコネクタの内壁に引っ掛かることなく、挿入部と被覆部の取り付け部分が引き裂かれることがない。
【図面の簡単な説明】
【図１】本発明の第１の実施例に係るコネクタカバーの構造を示す斜視図である。
【図２】本発明の第２の実施例に係るコネクタカバーの構造を示す斜視図である。
【図３】本発明の第３の実施例に係るコネクタカバーの構造を示す斜視図である。
【図４】本発明の第４の実施例に係るコネクタカバーの構造を示す斜視図である。
【図５】本発明のコネクタカバーの面取り部の他の実施例を示す拡大図である。
【図６】本発明のコネクタカバーの面取り部の他の実施例を示す拡大図である。
【図７】従来のコネクタカバー及びコネクタの構造を示す斜視図である。
【図８】被覆部と取手部が一体化したコネクタカバーの構造を示す斜視図である。
【図９】（ａ）乃至（ｃ）は、図７に示すコネクタカバーをコネクタより取り外したときの状態をその工程順に示す斜視図である。
【符号の説明】
１、１１、２１、３１、１０１、２０１；コネクタカバー
２、１２、２２、１０２、２０２；被覆部
３、１３、２０３；持上部
４、１４、１５、１６、１０４、２０４；挿入部
５、１０５；コネクタ（カードエッジコネクタ）
６、１０６；接続部
２７、１０７、２０７；ノッチ
８、１８、１９、２０；面取り部
１０３；取手部
【図１】
0003543804.tif 000002
【図２】
0003543804.tif 000003
【図３】
0003543804.tif 000004
【図４】
0003543804.tif 000005
【図５】
0003543804.tif 000006
【図６】
0003543804.tif 000007
【図７】
0003543804.tif 000008
【図８】
0003543804.tif 000009
【図９】
0003543804.tif 000010